【手続補正書】
【提出日】平成18年9月25日(2006.9.25)
【手続補正１】
【補正対象書類名】特許請求の範囲
【補正対象項目名】全文
【補正方法】変更
【補正の内容】
【特許請求の範囲】
【請求項１】
ユニットを着脱可能な、記録媒体に画像を形成する電子写真画像形成装置であって、前記ユニットを装着した状態で運搬可能な電子写真画像形成装置において、
（i）移動可能に設けられた可動部材と、
（ii）前記可動部材に設けられた本体電気接点と、
（iii）前記ユニットを取り外し可能に装着する装着部材と、
（iv）前記装着部材に装着されたユニットであって、前記ユニットが前記電子写真画像形成装置の装置本体に装着されて、前記記録媒体に画像を形成する画像形成時において、前記本体電気接点と接触可能なユニット電気接点を有するユニットと、
（ｖ)前記ユニットを装着した状態で前記電子写真画像形成装置を運搬する際に、前記可
動部材及び前記ユニットと当接して、前記本体電気接点と前記ユニット電気接点との間に隙間を設けて、前記本体電気接点と前記ユニット電気接点とを離間させる離間部材と、
を有することを特徴とする電子写真画像形成装置。
【請求項２】
前記離間部材は、前記ユニットに取り外し可能に設けられていることを特徴とする請求項１に記載の電子写真画像形成装置。
【請求項３】
前記離間部材は、前記可動部材に取り外し可能に設けられていることを特徴とする請求項１に記載の電子写真画像形成装置。
【請求項４】
前記可動部材は、前記本体電気接点を支持する支持部材を有し、
前記ユニットを装着した状態で前記電子写真画像形成装置を運搬する際に、前記支持部材と前記離間部材とが当接して、前記本体電気接点と前記ユニット電気接点とを離間させることを特徴とする請求項１又は２に記載の電子写真画像形成装置。
【請求項５】
前記可動部材は、前記画像形成時に前記ユニット電気接点と前記本体電気接点とが所定圧で接触するために前記ユニットと当接する当接部を有し、
前記ユニットを装着した状態で前記電子写真画像形成装置を運搬する際には、前記離間部は前記当接部と当接して、前記本体電気接点と前記ユニット電気接点とを離間させることを特徴とする請求項１又は２に記載の電子写真画像形成装置。
【請求項６】
前記離間部材は、前記ユニット電気接点が露出する開口部を有することを特徴とする請求項２に記載の電子写真画像形成装置。
【請求項７】
前記ユニットは、前記ユニット電気接点が表面に設けられた基板を有し、
前記ユニットを装着した状態で前記電子写真画像形成装置を運搬する際に、前記基板と前記離間部材とが当接して、前記本体電気接点と前記ユニット電気接点とを離間させることを特徴とする請求項１又は３に記載の電子写真画像形成装置。
【請求項８】
前記離間部材は、前記本体電気接点が露出する開口部を有することを特徴とする請求項３に記載の電子写真画像形成装置。
【請求項９】
前記ユニットは、電子写真感光体と前記電子写真感光体に作用するプロセス手段とを有する、プロセスカートリッジであることを特徴とする請求項１乃至８の何れかに記載の電子写真画像形成装置。
【請求項１０】
前記離間部材は、前記ユニットまたは前記可動部材から前記離間部材を取り外す際に把持する把持部を有することを特徴とする請求項１乃至９の何れかに記載の電子写真画像形成装置。
【請求項１１】
ユニット電気接点を有するユニットを着脱可能な、記録媒体に画像を形成する電子写真画像形成装置であって、前記ユニットが前記電子写真画像形成装置の装置本体に装着されて、前記記録媒体に画像を形成する画像形成時において、前記ユニット電気接点と接触可能な本体電気接点を有する電子写真画像形成装置を、前記ユニットを装着した状態で運搬可能する際に用いられる離間部材であって、
前記ユニットを装着した状態で前記電子写真画像形成装置を運搬する際に、前記装置本体に移動可能に設けられた、前記本体電気接点を有する可動部材及び前記ユニットと当接して、前記本体電気接点と前記ユニット電気接点との間に隙間を設けて、前記本体電気接点と前記ユニット電気接点とを離間させることを特徴とする離間部材。
【請求項１２】
前記離間部材は、前記ユニットに取り付けることができることを特徴とする請求項１１に記載の離間部材。
【請求項１３】
前記離間部材は、前記可動部材に取り付けることができることを特徴とする請求項１１に記載の離間部材。
【手続補正２】
【補正対象書類名】明細書
【補正対象項目名】発明の名称
【補正方法】変更
【補正の内容】
【発明の名称】電子写真画像形成装置及び離間部材
【手続補正３】
【補正対象書類名】明細書
【補正対象項目名】０００１
【補正方法】変更
【補正の内容】
【０００１】
本発明はユニットを着脱可能な電子写真画像形成装置及びそれらに用いる離間部材に関
するものである。
【手続補正４】
【補正対象書類名】明細書
【補正対象項目名】００１０
【補正方法】変更
【補正の内容】
【００１０】
本発明の目的は、電子写真画像形成装置本体内にユニットを装着したままの状態で、電子写真画像形成装置を運搬することである。
【手続補正５】
【補正対象書類名】明細書
【補正対象項目名】００１１
【補正方法】変更
【補正の内容】
【００１１】
本発明の他の目的は、ユニットと電子写真画像形成装置の運搬効率を高めることである。
【手続補正６】
【補正対象書類名】明細書
【補正対象項目名】００１２
【補正方法】変更
【補正の内容】
【００１２】
本発明の他の目的は、電子写真画像形成装置本体にユニットを装着した状態であっても、ユニットに設けられた電気接点と、装置本体に設けられた電気接点を離間させることである。
【手続補正７】
【補正対象書類名】明細書
【補正対象項目名】００１３
【補正方法】変更
【補正の内容】
【００１３】
また、本発明の他の目的は、電子写真画像形成装置本体内にユニットを装着した状態で運搬した際に、電気接点の損傷を防止することである。
【手続補正８】
【補正対象書類名】明細書
【補正対象項目名】００１４
【補正方法】変更
【補正の内容】
【００１４】
上記目標を達成するために、本発明における代表的な構成は、
ユニットを着脱可能な、記録媒体に画像を形成する電子写真画像形成装置であって、前記ユニットを装着した状態で運搬可能な電子写真画像形成装置において、
（i）移動可能に設けられた可動部材と、
（ii）前記可動部材に設けられた本体電気接点と、
（iii）前記ユニットを取り外し可能に装着する装着部材と、
（iv）前記装着部材に装着されたユニットであって、前記ユニットが前記電子写真画像形成装置の装置本体に装着されて、前記記録媒体に画像を形成する画像形成時において、前記本体電気接点と接触可能なユニット電気接点を有するユニットと、
（ｖ）前記ユニットを装着した状態で前記電子写真画像形成装置を運搬する際に、前記可動部材及び前記ユニットと当接して、前記本体電気接点と前記ユニット電気接点との間に隙間を設けて、前記本体電気接点と前記ユニット電気接点とを離間させる離間部材と、
を有することを特徴とする電子写真画像形成装置である。
【手続補正９】
【補正対象書類名】明細書
【補正対象項目名】００１５
【補正方法】変更
【補正の内容】
【００１５】
本発明によれば、電子写真画像形成装置本体にユニットを装着した状態であっても、ユニットに設けられた電気接点と、装置本体に設けられた電気接点を離間することができる。
【手続補正１０】
【補正対象書類名】明細書
【補正対象項目名】００１６
【補正方法】変更
【補正の内容】
【００１６】
また、電子写真画像形成装置本体内にユニットを装着した状態で電子写真画像形成装置本体を運搬した際に電気接点の破損を防止することができる。そして、ユニットを梱包する梱包箱を別途必要としないから運搬効率を上げることができる。